(57)【特許請求の範囲】
【請求項１】
列車が停車する第１の停車駅の駅ホームに設置される複数の駅ホーム表示器と、前記第１の停車駅の駅サーバ装置と、第２の停車駅の駅サーバ装置とを有する駅相互連絡システムであって、
前記複数の駅ホーム表示器のそれぞれの駅ホーム表示器は、
前記第１の停車駅の駅員の属性情報が記憶されるＩＣ（Ｉｎｔｅｇｒａｔｅｄ  Ｃｉｒｃｕｉｔ）カードから前記第１の停車駅の駅員の属性情報を読み取るカードリーダと、
前記カードリーダにより前記第１の停車駅の駅員の属性情報が読み取られた場合に、所定の複数の連絡内容を表示し、表示した複数の連絡内容から特定の連絡内容を選択内容として選択させ、前記第１の停車駅の駅ホームに停車する複数の列車を表示し、表示した複数の列車から特定の列車を選択列車として選択させ、前記選択列車が停車する複数の停車駅を表示し、表示した複数の停車駅から特定の停車駅を前記第２の停車駅として選択させるタッチパネル装置と、
前記第１の停車駅の駅ホームに列車が停車した場合に前記駅ホーム表示器の設置場所に位置する前記選択列車の列車扉を識別するデータとして、前記駅ホーム表示器を識別する表示器ＩＤ（ｉｄｅｎｔｉｆｉｅｒ）を記憶するメモリと、
前記タッチパネル装置で選択された選択内容と、前記タッチパネル装置で選択された選択列車を識別する列車番号と、前記メモリに記憶された表示器ＩＤと、前記タッチパネル装置で選択された前記第２の停車駅を識別する停車駅ＩＤと、を含んだ連絡内容データを前記第１の停車駅の駅サーバ装置へ送信する通信装置とを備え、
前記第１の停車駅の駅サーバ装置は、
列車番号と表示器ＩＤとに対して車両を識別する車両番号と列車扉を識別する列車扉番号とを対応付けた表示器情報を記憶した記憶部を備え、前記連絡内容データを受信し、受信した前記連絡内容データに含まれる列車番号と表示器ＩＤとに対応する車両番号と列車扉番号とを前記表示器情報に基づいて特定し、特定した車両番号と、特定した列車扉番号と、前記連絡内容データに含まれる選択内容と、前記連絡内容データに含まれる停車駅ＩＤとを含んだ新たな連絡内容データを送信し、
前記第２の停車駅の駅サーバ装置は、前記新たな連絡内容データを受信する
ことを特徴とする駅相互連絡システム。
【請求項２】
前記第１の停車駅の駅サーバ装置から前記新たな連絡内容データを受信し、受信した前記新たな連絡内容データを前記連絡内容データに含まれる停車駅ＩＤで識別される前記第２の停車駅の駅サーバ装置へ送信する中央装置を有する
ことを特徴とする請求項１記載の駅相互連絡システム。
【請求項３】
前記選択列車の運転席に設置され、前記中央装置から前記新たな連絡内容データを受信し、受信した前記新たな連絡内容データを表示する運転席端末装置を有する
ことを特徴とする請求項２記載の駅相互連絡システム。
【請求項４】
前記第１の停車駅の駅サーバ装置から前記選択内容を含んだデータを受信し、受信したデータを表示する前記第１の停車駅の駅員用の端末装置を有する
ことを特徴とする請求項１から請求項３いずれかに記載の駅相互連絡システム。
【請求項５】
前記第２の停車駅の駅サーバ装置から前記新たな連絡内容データを受信し、受信した前記新たな連絡内容データを表示する前記第２の停車駅の駅員用の端末装置を有する
ことを特徴とする請求項１から請求項４いずれかに記載の駅相互連絡システム。
【請求項６】
前記カードリーダは、前記第１の停車駅から乗車する乗客の属性情報が記憶されるＩＣカードから前記乗客の属性情報を読み取り、
前記駅ホーム表示器は、さらに、
前記カードリーダにより読み取られた属性情報に基づいて、前記カードリーダにより読み取られた属性情報が前記第１の停車駅の駅員の属性情報と前記乗客の属性情報とのいずれであるかを判定する利用者判定部を備え、
前記タッチパネル装置は、前記利用者判定部により前記第１の停車駅の駅員の属性情報が読み取られたと判定された場合、駅員用の複数の連絡内容を表示し、表示した複数の連絡内容から特定の連絡内容を選択内容として選択させ、前記利用者判定部により前記乗客の属性情報が読み取られたと判定された場合、乗客用の複数の連絡内容を表示し、表示した複数の連絡内容から特定の連絡内容を選択内容として選択させる
ことを特徴とする請求項１から請求項５いずれかに記載の駅相互連絡システム。
【発明の詳細な説明】
【技術分野】
【０００１】
本発明は、例えば、ＩＣ（Ｉｎｔｅｇｒａｔｅｄ  Ｃｉｒｃｕｉｔ）カードを利用して乗客、駅職員および乗務員が相互連絡を行うための駅相互連絡システムに関するものである。
【背景技術】
【０００２】
従来、列車を利用する交通弱者（例えば、車いす利用者や身体障害者）は、列車への乗車または列車からの降車を補助してもらうために、駅ホームや駅務員室で業務を行う駅職員に電話または口頭で補助を依頼している。
また、交通弱者が乗車する乗車駅の駅職員から交通弱者が降車する降車駅の駅職員への連絡は、電話や無線を用いて行われている。
【０００３】
また、交通弱者が乗車したことを降車駅や列車内へ連絡するシステム（特許文献１、２参照）や、交通弱者が座る席を確保するために優先席を制御するシステム（特許文献３参照）が提案されている。
【先行技術文献】
【特許文献】
【０００４】
【特許文献１】特開２００６−４２２３９号公報
【特許文献２】特開２００４−１６４３０２号公報
【特許文献３】特開２００９−２５８８３５号公報
【発明の概要】
【発明が解決しようとする課題】
【０００５】
従来から行われている乗降時の補助を依頼する方法は、交通弱者が乗車駅に事前に電話連絡を入れるか又は乗車駅で駅職員を見つけて口頭で説明しなければならないため、交通弱者にとって不便である。また、列車に乗車した交通弱者は、既に降車駅を連絡しているため、他の駅で降車したくなっても降車駅を変更しづらい。
【０００６】
一方、特許文献１のシステムにおいて、交通弱者は携帯端末を用いて降車駅や乗車時間などの情報を通信センターに送信することができる。また、特許文献２のシステムにおいて、交通弱者は携帯端末から交通弱者の登録情報（身障者情報）を駅ホームの通信装置（ホーム装置）を介して駅サーバに送信することができる。
しかし、特許文献１、２のシステムは、交通弱者の情報を送信する手段が携帯端末であるため、携帯端末の操作になれていない高齢者などにとっては不便である。また、交通弱者が乗車する乗車駅の駅職員と交通弱者が降車する降車駅の駅職員との連絡に利用することもできない。
【０００７】
本発明は、例えば、乗客、駅職員および乗務員が容易に相互連絡を行えるようにすることを目的とする。
【課題を解決するための手段】
【０００８】
本発明の駅相互連絡システムは、
列車が停車する第１の停車駅の駅ホームに設置される複数の駅ホーム表示器と、前記第１の停車駅の駅サーバ装置と、第２の停車駅の駅サーバ装置とを有する。
前記複数の駅ホーム表示器のそれぞれの駅ホーム表示器は、
前記第１の停車駅の駅員の属性情報が記憶されるＩＣ（Ｉｎｔｅｇｒａｔｅｄ  Ｃｉｒｃｕｉｔ）カードから前記第１の停車駅の駅員の属性情報を読み取るカードリーダと、
前記カードリーダにより前記第１の停車駅の駅員の属性情報が読み取られた場合に、所定の複数の連絡内容を表示し、表示した複数の連絡内容から特定の連絡内容を選択内容として選択させ、前記第１の停車駅の駅ホームに停車する複数の列車を表示し、表示した複数の列車から特定の列車を選択列車として選択させ、前記選択列車が停車する複数の停車駅を表示し、表示した複数の停車駅から特定の停車駅を前記第２の停車駅として選択させるタッチパネル装置と、
前記第１の停車駅の駅ホームに列車が停車した場合に前記駅ホーム表示器の設置場所に位置する前記選択列車の列車扉を識別するデータとして、前記駅ホーム表示器を識別する表示器ＩＤ（ｉｄｅｎｔｉｆｉｅｒ）を記憶するメモリと、
前記タッチパネル装置で選択された選択内容と、前記タッチパネル装置で選択された選択列車を識別する列車番号と、前記メモリに記憶された表示器ＩＤと、前記タッチパネル装置で選択された前記第２の停車駅を識別する停車駅ＩＤと、を含んだ連絡内容データを前記第１の停車駅の駅サーバ装置へ送信する通信装置とを備える。
前記第１の停車駅の駅サーバ装置は、
列車番号と表示器ＩＤとに対して車両を識別する車両番号と列車扉を識別する列車扉番号とを対応付けた表示器情報を記憶した記憶部を備え、前記連絡内容データを受信し、受信した前記連絡内容データに含まれる列車番号と表示器ＩＤとに対応する車両番号と列車扉番号とを前記表示器情報に基づいて特定し、特定した車両番号と、特定した列車扉番号と、前記連絡内容データに含まれる選択内容と、前記連絡内容データに含まれる停車駅ＩＤとを含んだ新たな連絡内容データを送信する。
前記第２の停車駅の駅サーバ装置は、前記新たな連絡内容データを受信する。
【発明の効果】
【０００９】
本発明によれば、例えば、第１の停車駅の駅職員（駅員）がＩＣカードを利用して駅ホーム表示器から第２の停車駅の駅職員と容易に連絡を取ることができる。
【図面の簡単な説明】
【００１０】
【図１】実施の形態１における駅相互連絡システム１００の駅ホーム１０２を示した図。
【図２】実施の形態１における駅ホーム表示器２００の機能構成図。
【図３】実施の形態１における駅ホーム表示器２００のメニュー画面２２０の表示例を示す図。
【図４】実施の形態１における項目画面２２１の画面遷移の例を示す図。
【図５】実施の形態１における駅相互連絡システム１００の構成図。
【図６】実施の形態１における駅ホーム表示器２００のハードウェア資源の一例を示す図。
【図７】実施の形態１における（１）乗客からの連絡の流れを示す図。
【図８】実施の形態１における（２）駅職員からの連絡の流れを示す図。
【図９】実施の形態１における（３）乗務員からの連絡の流れを示す図。
【図１０】実施の形態１における駅ホーム表示器２００の別形態を示す図。
【発明を実施するための形態】
【００１１】
実施の形態１．
乗客（特に交通弱者）、駅職員および乗務員がＩＣ（Ｉｎｔｅｇｒａｔｅｄ  Ｃｉｒｃｕｉｔ）カードを利用して相互に連絡を取るための駅相互連絡システムの一例について説明する。
【００１２】
実施の形態において、列車を利用する人を「乗客」、駅で勤務する人を「駅職員」、列車内で勤務する人を「乗務員」という。
特に、車いす利用者、身体障害者、妊婦、高齢者、ペースメーカー使用者など、列車を利用する際に何らかの配慮を必要とする乗客を「交通弱者」という。また、交通弱者以外の乗客を「一般客」という。
【００１３】
図１は、実施の形態１における駅相互連絡システム１００の駅ホーム１０２を示した図である。
実施の形態１における駅相互連絡システム１００の駅ホーム１０２について、図１に基づいて説明する。
【００１４】
駅相互連絡システム１００の駅ホーム１０２（駅のプラットホーム）には、駅１０１に到着した列車１２０が駅ホーム１０２に停車したときに列車扉１２１（列車１２０の扉・出入口）が位置する場所毎に、駅ホーム表示器２００を設置する。
例えば、駅利用者が線路に落ちることを防ぐために落下防止柵１０３を駅ホーム１０２に設けている場合、列車扉１２１と連動して開閉する部分の脇に駅ホーム表示器２００を設置するとよい。
なお駅ホーム表示器２００は、駅ホーム１０２の中央付近（例えば左右に１番線の線路と２番線の線路とが存在するホームの中央寄りの位置）に設置してもよい。この場合、駅ホーム表示器２００は、複数の線路に入線する列車に関する連絡に対応する。
【００１５】
駅ホーム表示器２００は、カードリーダライタ（以下、カードリーダ２０１という）とタッチパネルディスプレイ装置（以下、タッチパネル２０２という）とを備える。
【００１６】
また、駅ホーム１０２には、駅ホーム１０２を撮像する監視カメラ１０５を設置する。
【００１７】
乗客および駅職員は、駅相互連絡システム用のＩＣカードを所持する。ＩＣカードはデータを記憶するメモリを備える。以下、駅相互連絡システム用のＩＣカードを「利用者カード２０９」という。
利用者カード２０９のメモリには、予め、利用者カード２０９の所有者（交通弱者、一般客または駅職員）を識別する識別子や所有者の属性を示す属性情報を登録しておく。以下、利用者カードのメモリに登録された識別子を「利用者ＩＤ」といい、利用者カードのメモリに登録された属性情報を「利用者属性」という。
例えば、所有者の種別（交通弱者、一般客または駅職員）を示す利用者種別、交通弱者の種別（例えば、車いす利用者、身体障害者、妊婦、高齢者、ペースメーカー使用者）を示す交通弱者種別、所有者の住所・氏名・性別・生年月日は、利用者属性の一例である。
【００１８】
駅相互連絡システム１００において、Ｓｕｉｃａ（登録商標）やＰＡＳＭＯ（登録商標）などの記名式交通ＩＣカードに利用者ＩＤや利用者属性を登録し、記名式交通ＩＣカードを利用者カード２０９として利用するとよい。記名式交通ＩＣカードとは、駅１０１の改札で運賃を自動精算するために使用されるＩＣカードのうち、所有者の個人情報（氏名、生年月日など）を登録したＩＣカードである。記名式交通ＩＣカードは、列車以外の交通機関（例えば、バス）での運賃精算や買い物時の代金の支払いにも使用される。
つまり、乗客（または駅職員）は、一枚の記名式交通ＩＣカードを所持するだけで、列車１２０に乗車することもできるし、駅相互連絡システム１００を利用することもできる。
【００１９】
乗客または駅職員は、駅職員や乗務員に連絡したいことがある場合、所持している利用者カード２０９を駅ホーム表示器２００のカードリーダ２０１にかざした後、タッチパネル２０２に表示される画面に従って連絡内容を入力する。
駅ホーム表示器２００に入力された連絡内容は、駅ホーム表示器２００が操作された駅１０１の駅務員室に設置される駅務員室端末、他の駅の駅務員室に設置される駅務員室端末および列車の運転席に設置される運転席端末にデータとして送信され、各駅の駅職員および列車の乗務員に通知される。
【００２０】
図２は、実施の形態１における駅ホーム表示器２００の機能構成図である。
実施の形態１における駅ホーム表示器２００の機能構成について、図２に基づいて説明する。
【００２１】
駅ホーム表示器２００は、利用者種別判定部２１１（利用者判定部の一例）、画面表示部２１２、連絡内容通信部２１３および表示器記憶部２１９を備える。
【００２２】
利用者種別判定部２１１は、カードリーダ２０１が利用者カード２０９から読み取った利用者種別に基づいて、利用者カード２０９の所有者が交通弱者と一般客と駅職員とのうちいずれに該当するかをＣＰＵ（Ｃｅｎｔｒａｌ  Ｐｒｏｃｅｓｓｉｎｇ  Ｕｎｉｔ）を用いて判定する。
以下、利用者カード２０９の所有者を「システム利用者」という。
【００２３】
画面表示部２１２は、利用者種別判定部２１１の判定結果に応じて、システム利用者の種別に対応した専用のメニュー画面をタッチパネル２０２に表示する。メニュー画面は、連絡内容の種類を選択させるための画面であり、連絡内容の種類を記した選択ボタンを含む。
メニュー画面のデータは、表示器記憶部２１９に予め記憶する。
【００２４】
図３は、実施の形態１における駅ホーム表示器２００のメニュー画面２２０の表示例を示す図である。
図３（１）に交通弱者用のメニュー画面２２０ａを示し、図３（２）に一般客用のメニュー画面２２０ｂを示し、図３（３）に駅職員用のメニュー画面２２０ｃを示す。
【００２５】
交通弱者、一般客または駅職員は、駅ホーム表示器２００のカードリーダ２０１に利用者カード２０９をかざすことにより、タッチパネル２０２にメニュー画面２２０ａ〜ｃを表示させる。
【００２６】
メニュー画面２２０ａ〜ｃは、連絡内容の種類を記した選択ボタン２２９を一覧表示した画面である。
メニュー画面２２０ａ〜ｃに表示する連絡内容の種類（選択ボタン２２９の表記）は、（１）交通弱者用のメニュー画面２２０ａと（２）一般客用のメニュー画面２２０ｂと（３）駅職員用のメニュー画面２２０ｃとのそれぞれで異なる。
【００２７】
図３（１）〜（３）に示した連絡内容の種類について説明する。
「乗車連絡」とは、交通弱者が列車に乗車することを列車内の乗客に知らせるための連絡である。
「乗降車補助依頼」とは、交通弱者が列車に乗車する際または交通弱者が列車から降車する際に交通弱者を補助するための連絡である。
「忘れ物捜索依頼」とは、列車内に忘れられた乗客の忘れ物を捜すための連絡である。
「駅員呼出し」とは、駅職員を呼び出すための連絡である。
「対処報告」とは、乗降車補助依頼や忘れ物捜索依頼や駅員呼出しなどの連絡に対処したことを報告するための連絡である。
【００２８】
図３に示したメニュー画面２２０ａ〜ｃおよび連絡内容の種類は一例である。連絡内容に図３以外の種類を加えてもよいし、連絡内容の種類の組み合わせを図３の組み合わせとは異なる組み合わせにしても構わない。
【００２９】
交通弱者、一般客または駅職員は、メニュー画面２２０ａ〜ｃに表示された複数の選択ボタン２２９のうちいずれかの選択ボタン２２９を押下することにより、連絡内容の種類を選択および入力する。
【００３０】
図２に戻り、画面表示部２１２の説明を続ける。
【００３１】
画面表示部２１２は、メニュー画面で選択された連絡内容の種類に応じて、連絡項目を選択させる項目画面を遷移させながらタッチパネル２０２に表示する。項目画面は、連絡項目を記した選択ボタン２２９を一覧表示した画面である。連絡項目とは、連絡内容を構成する項目（連絡内容の詳細を指定する項目）である。
項目画面のデータや項目画面の遷移順序を表した遷移表データは、表示器記憶部２１９に予め記憶されているものとする。
【００３２】
図４は、実施の形態１における項目画面２２１の画面遷移の例を示す図である。
実施の形態１における項目画面２２１の画面遷移の例について、図４に基づいて説明する。
【００３３】
図４（１）は、交通弱者用のメニュー画面２２０ａを示している。
【００３４】
（２）メニュー画面２２０ａで「乗降車補助依頼」が選択された場合、交通弱者が乗車する乗車列車を選択させる項目画面２２１ａを表示する。項目画面２２１ａは、当該駅ホーム１０２の列車識別情報を記した選択ボタン２２９を一覧表示した画面である。当該駅ホーム１０２の列車識別情報とは、利用者カード２０９を読み取った駅ホーム表示器２００が設置されている駅ホーム１０２にこれから到着する列車１２０を識別する情報（列車番号、発着時刻、行先など）である。
（３）乗車列車が選択された後、交通弱者が乗車列車から降車する降車駅を選択させる項目画面２２１ｂを表示する。項目画面２２１ｂは、乗車列車が停車する駅の駅名を記した選択ボタン２２９を一覧表示した画面である。
【００３５】
駅毎に設置するサーバ装置（駅サーバ１１１）が列車情報（列車識別情報、停車駅の駅名一覧など）を管理し、連絡内容通信部２１３が駅サーバ１１１から列車情報を取得し、画面表示部２１２が列車情報に基づいて項目画面２２１ａ、ｂを表示してもよい。
【００３６】
交通弱者は、（２）項目画面２２１ａでいずれかの選択ボタン２２９を押下して乗車列車を選択し、（３）項目画面２２１ｂでいずれかの選択ボタン２２９を押下して降車駅を選択する。
【００３７】
メニュー画面２２０ａ〜ｃ（図３参照）で「乗降車補助依頼」以外の連絡内容が選択された場合、「乗降車補助依頼」が選択された場合と同様に、所定の項目画面２２１をタッチパネル２０２に表示し、所定の連絡項目をシステム利用者に選択させる。
【００３８】
例えば、メニュー画面２２０ａ〜ｃで「乗車連絡」が選択された場合、項目画面２２１ａで乗車列車を選択させ、項目画面２２１ｂで降車駅を選択させる。
【００３９】
メニュー画面２２０ａ〜ｃで「忘れ物捜索依頼」が選択された場合、第１の項目画面２２１で乗客が乗車していた乗車列車を選択させる。第１の項目画面２２１は、当該駅ホーム１０２の列車識別情報を記した選択ボタン２２９を一覧表示した画面である。ここでの当該駅ホーム１０２の列車情報は、当該駅ホーム１０２にこれまでに到着した列車１２０を識別する情報である。
次に、第２の項目画面２２１で忘れ物を選択させる。第２の項目画面２２１は、傘、かばんなどの主な忘れ物を記した選択ボタン２２９とその他の忘れ物を選択させるために「その他」と記された選択ボタン２２９とを含む。
第２の項目画面２２１で「その他」以外の忘れ物が選択された場合、第３〜第ｎの項目画面２２１で忘れ物の特徴を選択させる。例えば、第３の項目画面２２１で色を選択させ、第４の項目画面２２１で大きさを選択させる。第２の項目画面２２１で「その他」が選択された場合、第３の項目画面２２１にキーボードを表示し、忘れ物名を入力させる。
【００４０】
メニュー画面２２０ａ、ｂで「駅員呼出し」が選択された場合、項目画面２２１で呼出し理由を選択させる。また、項目画面２２１を表示しなくても構わない。つまり、呼出し理由を選択させなくても構わない。
【００４１】
メニュー画面２２０ｃで「対処報告」が選択された場合、対処した連絡内容の種類（乗降車補助依頼、忘れ物捜索依頼、駅員呼出しなど）を第１の項目画面２２１で選択させ、対処した連絡内容を第２の項目画面２２１で選択させる。
第２の項目画面２２１は、当該駅１０１に関係する連絡内容を記した選択ボタン２２９を一覧表示した画面である。当該駅１０１に関係する連絡内容とは、当該駅１０１が連絡元の駅（駅ホーム表示器２００に連絡内容が入力された駅）または連絡先の駅（例えば、交通弱者の降車駅）に該当する連絡内容である。当該駅１０１に関係する連絡内容の一覧データは駅サーバ１１１が管理する。そして、駅ホーム表示器２００の連絡内容通信部２１３が連絡内容の一覧データを駅サーバから取得し、画面表示部２１２が連絡内容の一覧データに基づいて第２の項目画面２２１を表示する。
【００４２】
図２に戻り、駅ホーム表示器２００の機能構成の説明を続ける。
【００４３】
連絡内容通信部２１３は、メニュー画面２２０で選択された連絡内容の種類と、項目画面２２１で選択された連絡項目と、自駅ホーム表示器２００を識別する表示器ＩＤとを含む連絡内容データ２３０を生成し、生成した連絡内容データ２３０を駅毎に設置される駅サーバ１１１へ通信装置を用いて送信する。駅サーバ１１１は、駅ホーム表示器２００から送信された連絡内容データ２３０を管理する装置である。駅サーバ１１１については後述する。
【００４４】
表示器記憶部２１９は、駅ホーム表示器２００で使用する各種データを記憶装置（メモリ）を用いて記憶する。
例えば、表示器記憶部２１９は、メニュー画面２２０や項目画面２２１のデータを記憶する。
また、表示器記憶部２１９は、駅ホーム表示器２００を識別する表示器ＩＤを記憶する。
【００４５】
図５は、実施の形態１における駅相互連絡システム１００の構成図である。
実施の形態１における駅相互連絡システム１００の構成について、図５に基づいて説明する。
【００４６】
駅相互連絡システム１００は、図１で説明したように、各駅１０１のプラットホーム（駅ホーム１０２）に複数の駅ホーム表示器２００を備える。駅ホーム表示器２００は、到着した列車の扉が停止する場所毎に設置される。
【００４７】
さらに、駅相互連絡システム１００は、駅毎にサーバ装置（駅サーバ１１１）および構内ＣＣＴＶシステム１１３（ＣＣＴＶ：Ｃｌｏｓｅｄ−ｃｉｒｃｕｉｔ  Ｔｅｌｅｖｉｓｉｏｎ）を備え、駅務員室に端末装置（駅務員室端末１１２）を備える。
駅サーバ１１１は、駅ホーム表示器２００、駅務員室端末１１２、構内ＣＣＴＶシステム１１３および後述する中央装置１３１と通信する。
構内ＣＣＴＶシステム１１３は、駅ホーム１０２に設置される監視カメラ１０５と、監視カメラ１０５を制御して監視カメラ１０５に撮像させた駅ホーム１０２の監視画像を記憶する監視カメラ制御装置とを有する。
駅務員室端末１１２は、駅サーバ１１１と通信し、駅ホーム表示器２００に入力された連絡内容や監視カメラ１０５が撮像した監視画像を表示する。
【００４８】
駅相互連絡システム１００は、列車毎に列車情報管理装置（ＴＩＭＳ１２６）を備え、各列車の運転席に端末装置（運転席端末１２２）を備える。また、駅相互連絡システム１００は、車両毎に車両内を撮像する監視カメラ１２３、アナウンスを流すアナウンス装置１２４、乗客に提供する情報を表示するディスプレイ装置１２５、車両内の重量を計測する重量計１２７などを備える。
ＴＩＭＳ１２６は、列車１２０の扉、空調、ブレーキなどを制御する。
運転席端末１２２は、列車１２０の運行状況、中央システム１３０からの指令内容、駅１０１からの連絡内容、監視カメラ１２３が撮像した監視画像などを表示する。
【００４９】
駅相互連絡システム１００は、中央装置１３１、列車ダイヤ管理装置１３２、指令端末１３３などを有する中央システム１３０を備える。
中央装置１３１は、列車ダイヤ管理装置１３２や指令端末１３３を制御する。また、中央装置１３１は、駅サーバ１１１や運転席端末１２２と通信する。
列車ダイヤ管理装置１３２は、各列車１２０の運行表データ（運行ダイヤ）を管理する。
指令端末１３３は、指令者が乗務員や駅職員と連絡を取るために使用する端末装置である。
【００５０】
駅相互連絡システム１００において、駅ホーム表示器２００に入力された連絡内容は、駅サーバ１１１を介して当該駅の駅務員室端末１１２にデータとして送信され、駅務員室端末１１２によって表示または音声出力され、当該駅の駅職員に通知される。
さらに、連絡内容は、駅サーバ１１１と中央装置１３１とを介して他の駅の駅務員室端末１１２にデータとして送信され、駅務員室端末１１２によって表示または音声出力され、他の駅の駅職員に通知される。
さらに、連絡内容は、駅サーバ１１１と中央装置１３１とを介して列車１２０の運転席端末１２２にデータとして送信され、運転席端末１２２によって表示または音声出力され、列車１２０の乗務員に通知される。
【００５１】
図６は、実施の形態１における駅ホーム表示器２００のハードウェア資源の一例を示す図である。
図６において、駅ホーム表示器２００は、ＣＰＵ９１１（Ｃｅｎｔｒａｌ  Ｐｒｏｃｅｓｓｉｎｇ  Ｕｎｉｔ）を備えている。ＣＰＵ９１１は、バス９１２を介してＲＯＭ９１３、ＲＡＭ９１４、通信装置９１５、タッチパネル２０２（表示装置、入力装置の一例）、カードリーダ２０１と接続され、これらのハードウェアデバイスを制御する。
【００５２】
駅相互連絡システム１００のその他の装置（駅サーバ１１１など）は、駅ホーム表示器２００と同様に、ＣＰＵ９１１、ＲＯＭ９１３、ＲＡＭ９１４、通信装置９１５、表示装置、入力装置、磁気ディスク装置などのハードウェアを備える。
また、駅相互連絡システム１００のその他の装置は、通信部、制御部、表示部、記憶部などの機能を備える。
【００５３】
通信装置９１５は、駅相互連絡システム用の通信網に有線または無線で接続している。ＬＡＮ（Ｌｏｃａｌ  Ａｒｅａ  Ｎｅｔｗｏｒｋ）、インターネット、電話回線は駅相互連絡システム用の通信網の一例である。
【００５４】
ＲＯＭ９１３、ＲＡＭ９１４または磁気ディスク装置には、ＯＳ（オペレーティングシステム）、プログラム群、ファイル群が記憶されている。
【００５５】
プログラム群には、実施の形態において「〜部」として説明する機能を実行するプログラムが含まれる。プログラムは、ＣＰＵ９１１により読み出され実行される。すなわち、プログラムは、「〜部」としてコンピュータを機能させるものであり、また「〜部」の手順や方法をコンピュータに実行させるものである。
【００５６】
ファイル群には、実施の形態において説明する「〜部」で使用される各種データ（入力、出力、判定結果、計算結果、処理結果、ＩＤなど）が含まれる。
【００５７】
実施の形態において構成図およびフローチャートに含まれている矢印は主としてデータや信号の入出力を示す。
【００５８】
実施の形態において「〜部」として説明するものは「〜回路」、「〜装置」、「〜機器」であってもよく、また「〜ステップ」、「〜手順」、「〜処理」であってもよい。すなわち、「〜部」として説明するものは、ファームウェア、ソフトウェア、ハードウェアまたはこれらの組み合わせのいずれで実装されても構わない。
【００５９】
次に、駅相互連絡システム１００における乗客、駅職員および乗務員の相互連絡の流れについて説明する。
以下、連絡内容（種類、連絡項目）が選択された駅ホーム表示器２００の設置駅を「連絡元の駅」といい、連絡内容の連絡項目として選択された駅（例えば、交通弱者の降車駅）を「連絡先の駅」という。また、連絡内容の連絡項目として選択された列車（例えば、交通弱者の乗車列車）を「連絡先の列車」という。
【００６０】
図７は、実施の形態１における（１）乗客からの連絡の流れを示す図である。
実施の形態１における（１）乗客からの連絡の流れについて、図７に基づいて説明する。
【００６１】
Ｓ１０１において、乗客は、列車に乗車する場所または列車から降車した場所に設置されている駅ホーム表示器２００のカードリーダ２０１に利用者カード２０９をかざす。
そして、乗客は、駅ホーム表示器２００のタッチパネル２０２を操作（選択ボタン２２９の押下）して連絡内容の種類と連絡項目とを選択する。
【００６２】
Ｓ１０２において、駅ホーム表示器２００の通信装置は、乗客により選択された連絡内容の種類と連絡項目とを含み、駅ホーム表示器２００の表示器ＩＤを含む連絡内容データ２３０を自駅の駅サーバ１１１へ送信する。
連絡内容データ２３０には、利用者カード２０９の読み取り日時、通信日時、利用者カード２０９から読み取られた利用者ＩＤ・利用者属性などを含めてもよい。
【００６３】
Ｓ１０３において、駅サーバ１１１の通信部は連絡内容データ２３０を受信する。
駅サーバ１１１の制御部は、連絡内容データ２３０に識別子としてユニークな連絡ＩＤを設定する。また、駅サーバ１１１の制御部は、自駅を識別する駅名と、連絡内容データ２３０に含まれる表示器ＩＤに対応する車両番号と列車扉番号とを連絡内容データ２３０に設定する。車両番号と列車扉番号とは、列車番号と表示器ＩＤとに対応付けて予め記憶部に記憶されているものとする。列車番号は連絡内容データ２３０に連絡項目（列車識別情報）として含まれる。
なお列車番号と表示器ＩＤとに対して車両番号と列車扉番号とを対応付けた表示器情報は、駅サーバ１１１が保有するダイヤ情報（列車番号と運行時間情報を含む列車運行計画情報）とホーム停車位置情報（列車番号毎の停車位置情報）と駅ホーム表示器２００の位置情報とに基づき、駅サーバ１１１内で構成され、記憶される。列車毎のホーム停車位置と駅ホーム表示器２００の所在位置とを特定することにより、表示器ＩＤと対応する車両番号と列車扉番号とが確定できる。
また駅ホーム表示器２００が駅ホーム１０２の中央付近に位置し、複数の列車に対応するように構成する場合でも、列車番号と表示器ＩＤが特定できれば、表示器ＩＤと対応する車両番号と列車扉番号とが確定できる。
駅サーバ１１１の記憶部は制御部により連絡ＩＤなどが設定された連絡内容データ２３０を記憶する。
駅サーバ１１１の通信部は制御部により連絡ＩＤなどが設定された連絡内容データ２３０を自駅の駅務員室端末１１２と中央システム１３０の中央装置１３１とに送信する。但し、連絡内容データ２３０が連絡項目として乗車列車や降車駅を含まない場合、駅サーバ１１１の通信部は連絡内容データ２３０を中央装置１３１に送信しなくてよい。
【００６４】
Ｓ１０４において、駅務員室端末１１２の通信部は連絡内容データ２３０を受信し、駅務員室端末１１２の表示部はこれまでに受信された連絡内容データ２３０を画面に一覧表示する。
【００６５】
Ｓ１０５において、駅務員室の駅職員は、駅務員室端末１１２に表示された連絡内容データ２３０を確認し、乗客からの連絡に対処する。
例えば、車いす利用者の「乗降車補助依頼」の連絡内容データ２３０が駅務員室端末１１２に表示された場合、駅務員室の駅職員は、車いす利用者の乗車を補助するために乗車列車の到着時刻に合わせて渡し板を持って車いす利用者の乗車場所へ移動する。車いす利用者の乗車場所とは、車いす利用者が操作した駅ホーム表示器２００の設置場所である。駅ホーム表示器２００は連絡内容データ２３０に含まれる表示器ＩＤによって判断される。
また、交通弱者の「乗車連絡」の連絡内容データ２３０が駅務員室端末１１２に表示された場合、駅務員室の駅職員は、駅務員室端末１１２を操作して当該駅ホーム表示器２００の設置場所を映した監視画像を表示し、乗車を補助した方が良いか否かを判断し、必要であれば当該駅ホーム表示器２００の設置場所へ移動して交通弱者の乗車を補助する。
【００６６】
Ｓ１０６において、中央装置１３１の通信部は連絡内容データ２３０を受信する。
中央装置１３１の制御部は、連絡内容データ２３０に含まれる連絡項目に基づいて、連絡先の列車および駅を特定する。
中央装置１３１の通信部は、制御部により特定された連絡先の列車の運転席端末１２２と、制御部により特定された連絡先の駅の駅サーバ１１１とに連絡内容データ２３０を送信する。
【００６７】
Ｓ１０７において、連絡先の列車の運転席端末１２２の通信部は連絡内容データ２３０を受信し、運転席端末１２２の表示部は連絡内容データ２３０を画面に表示する。
【００６８】
Ｓ１０８において、連絡先の列車の乗務員は、運転席端末１２２の画面に表示された連絡内容データ２３０を確認し、乗客からの連絡に対処する。
【００６９】
例えば、交通弱者の「乗車連絡」や「乗降車補助依頼」が運転席端末１２２に表示された場合、乗車列車の乗務員は、運転席端末１２２を操作して交通弱者が乗車した車両に交通弱者種別に対応したアナウンスを放送する。交通弱者が乗車した車両は連絡内容データ２３０に含まれる車両番号によって判断される。
アナウンスの一例として「ペースメーカを使用しているお客様がＸＸ駅から乗車されるので携帯電話の電源をお切りください」、「妊婦さんがＸＸ駅から乗車されるので座席をお譲りください」、「車いすを利用するお客様がＸＸ駅から乗車されるので扉付近を広く空けてお待ちください」などが挙げられる。「ＸＸ駅」は連絡内容データ２３０に含まれる駅名（連絡元の駅）である。
【００７０】
乗務員は、運転席端末１２２を操作して交通弱者が乗車する車両内を映した監視画像を表示し、アナウンスの要否を判断してもよい。車両内が空いている場合には「座席をお譲りください」「扉付近を広く空けてお待ちください」などのアナウンスは不要だからである。
運転席端末１２２の制御部が重量計１２７によって計測された車両の重量に基づいて車両の混み具合を判定し、運転席端末１２２の表示部が制御部によって判定された車両の混み具合を画面に表示し、乗務員が画面に表示された車両の混み具合に基づいてアナウンスの要否を判定してもよい。
また、運転席端末１２２の制御部が車両の混み具合に基づいてアナウンスの要否を判定し、アナウンスが必要な場合に運転席端末１２２の制御部がアナウンスの音声データを車両のアナウンス装置１２４へ送信して車両にアナウンスを放送してもよい。アナウンスの音声データは運転席端末１２２の記憶部に予め記憶する。
また、車両のディスプレイ装置１２５にアナウンス内容を表示してもよい。
【００７１】
例えば、乗客の「忘れ物捜索依頼」の連絡内容データ２３０が運転席端末１２２の画面に表示された場合、乗車列車の乗務員は、乗客が降車した車両へ移動し、乗客が降車した列車扉付近を捜索する。乗客が降車した車両は連絡内容データ２３０に含まれる車両番号によって判断され、乗客が降車した列車扉１２１は連絡内容データ２３０に含まれる列車扉番号によって判断される。
【００７２】
Ｓ１０９において、連絡先の駅の駅サーバ１１１の通信部は連絡内容データ２３０を受信し、受信した連絡内容データ２３０を自駅の駅務員室端末１１２に送信する。
また、駅サーバ１１１の記憶部は、連絡内容データ２３０を記憶する。
【００７３】
Ｓ１１０において、駅務員室端末１１２の通信部は連絡内容データ２３０を受信し、駅務員室端末１１２の表示部はこれまでに受信された連絡内容データ２３０を画面に一覧表示する。
【００７４】
Ｓ１１１において、駅務員室の駅職員は、駅務員室端末１１２に表示された連絡内容データ２３０を確認し、乗客からの連絡に対処する。
例えば、車いす利用者の「乗降車補助依頼」が駅務員室端末１１２に表示された場合、駅職員は、車いす利用者の降車を補助するために乗車列車の到着時刻に合わせて渡し板を持って車いす利用者の降車場所へ移動する。車いす利用者の降車場所は連絡内容データ２３０に含まれる車両番号と列車扉番号によって判断される。
【００７５】
図８は、実施の形態１における（２）駅職員からの連絡の流れを示す図である。
実施の形態１における（２）駅職員からの連絡の流れについて、図８に基づいて説明する。
【００７６】
Ｓ２０１において、駅職員は、乗客が乗車する場所または乗客が降車した場所に設置されている駅ホーム表示器２００のカードリーダ２０１に利用者カード２０９をかざす。
そして、駅職員は、駅ホーム表示器２００のタッチパネル２０２を操作して連絡内容の種類と連絡項目とを選択する。
【００７７】
例えば、利用者カード２０９を所持していない交通弱者から乗車の補助をお願いされた場合、駅職員は、交通弱者が乗車する場所に設置されている駅ホーム表示器２００のタッチパネル２０２を操作し、連絡内容の種類「乗降車補助依頼」と交通弱者が乗車する乗車列車と交通弱者が降車する降車駅とを選択する。
また、乗降車補助依頼や駅員呼出しなどの連絡に対応した場合、駅職員は、駅ホーム表示器２００のタッチパネル２０２を操作し、連絡内容の種類「対処報告」と対処した連絡内容とを選択し、連絡内容の対処状況を「対処済み」にする。
【００７８】
Ｓ２０２〜Ｓ２１１は、（１）乗客からの連絡の流れのＳ１０２〜Ｓ１１１と同様である。
【００７９】
但し、連絡内容の種類が「対処報告」である場合、連絡元の駅と連絡先の駅とにおいて、駅サーバ１１１の制御部は、対処された連絡内容の連絡内容データ２３０を記憶部から検索し、当該連絡内容データ２３０に「対処済み」を示すフラグを設定する。「対応済み」のフラグを設定する代わりに当該連絡内容データ２３０を記憶部から削除してもよい。
また、連絡元の駅と連絡先の駅とにおいて、駅務員室端末１１２の表示部は当該連絡内容が対処済みであることを画面に表示し、駅職員は連絡内容の対処状況を確認する。
【００８０】
図９は、実施の形態１における（３）乗務員からの連絡の流れを示す図である。
実施の形態１における（３）乗務員からの連絡の流れについて、図９に基づいて説明する。
【００８１】
Ｓ３０１において、乗務員は、運転席端末１２２を操作して連絡内容の種類と連絡項目とを選択する。選択方法は駅ホーム表示器２００による選択方法と同様である。
例えば、乗務員は、車内の病人の引受け依頼や忘れ物の引受け依頼を連絡内容の種類として選択し、依頼先の駅（連絡先の駅）と車両番号とを連絡項目として選択する。
また、乗務員は、交通弱者から降車駅の変更を口頭でお願いされた場合、乗降車補助の変更依頼を連絡内容の種類として選択し、降車駅を変更する連絡内容と変更後の降車駅とを連絡項目として選択する。
【００８２】
Ｓ３０２において、運転席端末１２２の通信部は、連絡内容データ２３０を中央装置１３１に送信する。
【００８３】
Ｓ３０３において、中央装置１３１の通信部は連絡内容データ２３０を受信する。
中央装置１３１の制御部は連絡内容データ２３０の連絡項目に基づいて送信先の駅サーバ１１１を特定し、通信部は特定された駅サーバ１１１に連絡内容データ２３０を送信する。
【００８４】
Ｓ３０４において、駅サーバ１１１は連絡内容データ２３０を受信し、受信した連絡内容データ２３０を駅務員室端末１１２に送信する。
【００８５】
Ｓ３０５において、駅務員室端末１１２の通信部は連絡内容データ２３０を受信し、表示部は連絡内容データ２３０を画面に表示する。
【００８６】
Ｓ３０６において、駅職員は、駅務員室端末１１２の画面に表示された連絡内容データ２３０に対処する。
例えば、駅職員は、当該列車１２０の到着時刻に合わせて当該車両の停車位置へ移動し、病人または忘れ物を引き受ける。
【００８７】
実施の形態１において、駅ホーム表示器２００は、タッチパネル２０２の代わりに、メニュー画面２２０や項目画面２２１を表示する表示装置と連絡内容を選択するための入力装置（ボタン、キーボードなど）とを備えても構わない。
【００８８】
図１０は、実施の形態１における駅ホーム表示器２００の別形態を示す図である。
図１０に示すように、駅ホーム表示器２００は複数のカードリーダ２０１ａ〜ｃを備え、各カードリーダ２０１ａ〜ｃに対応させてメニュー画面２２０や項目画面２２１の選択項目を表示しても構わない。
乗客または駅職員は、選択ボタンを押下して連絡内容の種類または連絡項目を選択する代わりに、選択したい連絡内容の種類または連絡項目に対応するカードリーダに利用者カード２０９をかざす。
【００８９】
実施の形態１において、例えば、以下のような駅相互連絡システム１００について説明した。
駅相互連絡システム１００は、タッチパネルディスプレイ（タッチパネル２０２）とカードリーダライタ（カードリーダ２０１）とを備える案内表示器（駅ホーム表示器２００）を駅ホームに配置したシステムである。
駅相互連絡システム１００は、ＩＣカード（利用者カード２０９）を利用して乗客、駅職員および乗務員が互いの行動連絡を行うためのものである。ＩＣカードを利用することにより本人認証を行動連絡と同時に行うことができる。
乗客として特に交通弱者を対象とし、障害者手帳や母子手帳などの公的証明書の情報をＳｕｉｃａ（登録商標）やＰＡＳＭＯ（登録商標）などの記名式交通ＩＣカードに記録しておく。これにより、乗客から案内表示器経由で行動連絡が入った場合に迅速に乗客の安全確保を図ることができる。
【符号の説明】
【００９０】
１００  駅相互連絡システム、１０１  駅、１０２  駅ホーム、１０３  落下防止柵、１０５  監視カメラ、１１１  駅サーバ、１１２  駅務員室端末、１１３  構内ＣＣＴＶシステム、１２０  列車、１２１  列車扉、１２２  運転席端末、１２３  監視カメラ、１２４  アナウンス装置、１２５  ディスプレイ装置、１２６  ＴＩＭＳ、１２７  重量計、１３０  中央システム、１３１  中央装置、１３２  列車ダイヤ管理装置、１３３  指令端末、２００  駅ホーム表示器、２０１  カードリーダ、２０２  タッチパネル、２０９  利用者カード、２１１  利用者種別判定部、２１２  画面表示部、２１３  連絡内容通信部、２１９  表示器記憶部、２２０  メニュー画面、２２１  項目画面、２２９  選択ボタン、２３０  連絡内容データ、９１１  ＣＰＵ、９１２  バス、９１３  ＲＯＭ、９１４  ＲＡＭ、９１５  通信装置。
【図１】
0005501436.tif 000002
【図２】
0005501436.tif 000003
【図３】
0005501436.tif 000004
【図４】
0005501436.tif 000005
【図５】
0005501436.tif 000006
【図６】
0005501436.tif 000007
【図７】
0005501436.tif 000008
【図８】
0005501436.tif 000009
【図９】
0005501436.tif 000010
【図１０】
0005501436.tif 000011